(57)【特許請求の範囲】
【請求項１】
デジタルコンテンツの販売を行うデジタルコンテンツ販売装置であって、
利用者による入力操作を受け付ける入力操作受付手段と、
前記入力操作受付手段により前記デジタルコンテンツのサンプルの要求操作を受け付けた場合に、前記サンプルを提供する提供先に係る提供先情報及び該サンプルに対応する有料デジタルコンテンツを特定する有料デジタルコンテンツ特定情報を印字したサンプル券を発行するサンプル券発行手段と、
前記サンプル券発行手段により発行されたサンプル券に印字された有料デジタルコンテンツ特定情報を読み取って、複数の有料デジタルコンテンツから利用者の購入対象となる有料デジタルコンテンツを特定する有料デジタルコンテンツ特定手段と、
前記有料デジタルコンテンツ特定手段により特定された有料デジタルコンテンツの販売処理を行なう販売処理手段と
を備えたことを特徴とするデジタルコンテンツ販売装置。
【請求項２】
前記販売処理手段により前記有料デジタルコンテンツが販売されたならば、販売された有料デジタルコンテンツを提供する提供先に係る提供先情報を印字した販売券を発行する販売券発行手段をさらに備えたことを特徴とする請求項１に記載のデジタルコンテンツ販売装置。
【請求項３】
前記サンプル券発行手段は、前記サンプルを提供するサーバのアドレスを示す二次元バーコードを前記サンプルの提供先に係る提供先情報として前記サンプル券に印字することを特徴とする請求項１または２に記載のデジタルコンテンツ販売装置。
【請求項４】
前記入力操作受付手段により、前記デジタルコンテンツの概要の要求操作を受け付けた場合に、前記デジタルコンテンツの概要を表示出力する概要表示手段をさらに備えたことを特徴とする請求項１〜３のいずれか１つに記載のデジタルコンテンツ販売装置。
【請求項５】
前記デジタルコンテンツ販売装置の設置場所の情報を提供する案内情報提供手段をさらに備えたことを特徴とする請求項１〜４のいずれか１つに記載のデジタルコンテンツ販売装置。
【請求項６】
デジタルコンテンツの販売を行うデジタルコンテンツ販売方法であって、
利用者による入力操作を受け付ける入力操作受付ステップと、
前記入力操作受付ステップにより前記デジタルコンテンツのサンプルの要求操作を受け付けた場合に、前記サンプルを提供する提供先に係る提供先情報及び該サンプルに対応する有料デジタルコンテンツを特定する有料デジタルコンテンツ特定情報を印字したサンプル券を発行するサンプル券発行ステップと、
前記サンプル券発行ステップにより発行されたサンプル券に印字された有料デジタルコンテンツ特定情報を読み取って、複数の有料デジタルコンテンツから利用者の購入対象となる有料デジタルコンテンツを特定する有料デジタルコンテンツ特定ステップと、
前記有料デジタルコンテンツ特定ステップにより特定された有料デジタルコンテンツの販売処理を行なう販売処理ステップと
を含んだことを特徴とするデジタルコンテンツ販売方法。
【発明の詳細な説明】
【技術分野】
【０００１】
この発明は、デジタルコンテンツ販売装置及びデジタルコンテンツ販売方法に関し、特に、デジタルコンテンツの販売効率を高めるデジタルコンテンツ販売装置及びデジタルコンテンツ販売方法に関する。
【背景技術】
【０００２】
従来、コンビニエンスストア等の店舗にデジタルコンテンツ販売装置を設置し、このデジタルコンテンツ販売装置を用いて動画、楽曲、ゲーム又は電子書籍等のデジタルコンテンツを利用者に販売するサービスが知られている。
【０００３】
例えば、特許文献１には、利用者がデジタルコンテンツを選択して購入金額を支払うと、購入されたデジタルコンテンツが携帯端末装置のメモリーカードに書き込まれるようにしたデジタルコンテンツ販売装置が開示されている。
【０００４】
また、特許文献２には、デジタルコンテンツを販売するデジタルコンテンツ販売装置のソフトウェアを簡易的にバージョンアップする技術が開示されている。さらに、特許文献３には、デジタル書籍の違法コピーを抑制するとともに、その一部を無料で閲覧できるようにする技術が開示されている。
【０００５】
この種のデジタルコンテンツ販売装置を用いる際には、通常は利用者登録又は月額会員登録を行う必要があるが、利用の都度利用した分だけ現金で課金する運用形態が求められている。利用者が利用者登録する際の個人情報の入力を望まないケース、利用頻度が不明確なために月額会員登録を望まないケース、購入履歴の存在を望まないケース、携帯電話機が会社契約のものであるケース等があるためである。
【先行技術文献】
【特許文献】
【０００６】
【特許文献１】特開２００２−１６３７２１号公報
【特許文献２】特開２００２−２８８７３５号公報
【特許文献３】特開２００４−２８０４７８号公報
【発明の概要】
【発明が解決しようとする課題】
【０００７】
しかしながら、上記特許文献１及び２のものは、内容を把握しているデジタルコンテンツを利用者が購入する場合には有用であるが、内容を把握していないデジタルコンテンツを利用者が購入する場合には不向きである。このデジタルコンテンツ販売装置を用いたとしても、デジタルコンテンツの内容を把握できないからである。
【０００８】
このため、特許文献３を用いることで、利用者がデジタルコンテンツの一部を無料で閲覧することも考えられるが、該利用者がデジタルコンテンツを閲覧している間は、他の利用者がデジタルコンテンツ販売装置を利用することができないため、結果的にデジタルコンテンツの販売効率が低下すると言う問題がある。
【０００９】
特に、利用者が駅構内に配設されたデジタルコンテンツ販売装置を利用する場合には、電車待ちの短い時間でデジタルコンテンツを購入したいのが実情であるため、一人の利用者がデジタルコンテンツ販売装置を長時間占有するのは望ましくない。
【００１０】
これらの事から、利用者一人一人によるデジタルコンテンツ販売装置の占有時間をいかに短くするか、いかにしてデジタルコンテンツ販売装置による販売効率を向上させるかと言う点が重要な課題となっている。
【００１１】
本発明は、上記従来技術による課題を解決するためになされたものであって、利用者一人一人による装置占有時間を短くし、もってデジタルコンテンツの販売効率を高めることができるデジタルコンテンツ販売装置及びデジタルコンテンツ販売方法を提供することを目的とする。
【課題を解決するための手段】
【００１２】
上述した課題を解決し、目的を達成するため、本発明は、デジタルコンテンツの販売を行うデジタルコンテンツ販売装置であって、利用者による入力操作を受け付ける入力操作受付手段と、前記入力操作受付手段により前記デジタルコンテンツのサンプルの要求操作を受け付けた場合に、前記サンプルを提供する提供先に係る提供先情報及び該サンプルに対応する有料デジタルコンテンツを特定する有料デジタルコンテンツ特定情報を印字したサンプル券を発行するサンプル券発行手段と、前記サンプル券発行手段により発行されたサンプル券に印字された有料デジタルコンテンツ特定情報を読み取って、複数の有料デジタルコンテンツから利用者の購入対象となる有料デジタルコンテンツを特定する有料デジタルコンテンツ特定手段と、前記有料デジタルコンテンツ特定手段により特定された有料デジタルコンテンツの販売処理を行なう販売処理手段とを備えたことを特徴とする。
【００１３】
また、本発明は、上記の発明において、前記販売処理手段により前記有料デジタルコンテンツが販売されたならば、販売された有料デジタルコンテンツを提供する提供先に係る提供先情報を印字した販売券を発行する販売券発行手段をさらに備えたことを特徴とする。
【００１４】
また、本発明は、上記の発明において、前記サンプル券発行手段は、前記サンプルを提供するサーバのアドレスを示す二次元バーコードを前記サンプルの提供先に係る提供先情報として前記サンプル券に印字することを特徴とする。
【００１６】
また、本発明は、上記の発明において、前記入力操作受付手段により、前記デジタルコンテンツの概要の要求操作を受け付けた場合に、前記デジタルコンテンツの概要を表示出力する概要表示手段をさらに備えたことを特徴とする。
【００１７】
また、本発明は、上記の発明において、前記デジタルコンテンツ販売装置の設置場所の情報を提供する案内情報提供手段をさらに備えたことを特徴とする。
【００１８】
また、本発明は、デジタルコンテンツの販売を行うデジタルコンテンツ販売方法であって、利用者による入力操作を受け付ける入力操作受付ステップと、前記入力操作受付ステップにより前記デジタルコンテンツのサンプルの要求操作を受け付けた場合に、前記サンプルを提供する提供先に係る提供先情報及び該サンプルに対応する有料デジタルコンテンツを特定する有料デジタルコンテンツ特定情報を印字したサンプル券を発行するサンプル券発行ステップと、前記サンプル券発行ステップにより発行されたサンプル券に印字された有料デジタルコンテンツ特定情報を読み取って、複数の有料デジタルコンテンツから利用者の購入対象となる有料デジタルコンテンツを特定する有料デジタルコンテンツ特定ステップと、前記有料デジタルコンテンツ特定ステップにより特定された有料デジタルコンテンツの販売処理を行なう販売処理ステップとを含んだことを特徴とする。
【発明の効果】
【００１９】
本発明によれば、利用者による入力操作を受け付ける入力操作受付手段によってデジタルコンテンツのサンプルの要求操作を受け付けた場合に、サンプルを提供する提供先に係る提供先情報及び該サンプルに対応する有料デジタルコンテンツを特定する有料デジタルコンテンツ特定情報を印字したサンプル券を発行し、サンプルを見た利用者が有料デジタルコンテンツを購入する場合には、サンプル券に印字された有料デジタルコンテンツ特定情報を読み取って、複数の有料デジタルコンテンツから利用者の購入対象となる有料デジタルコンテンツを特定し、特定した有料デジタルコンテンツの販売処理を行なうよう構成したので、サンプルを見た利用者が有料デジタルコンテンツを購入する場合に、利用者がサンプル券に印字された有料デジタルコンテンツ特定情報を読み取らせる操作を行うだけで複数の有料デジタルコンテンツから利用者の購入対象となる有料デジタルコンテンツを特定できるため、販売装置の操作に要する時間を抑制しつつデジタルコンテンツの販売効率を高めることができるという効果を奏する。
【００２０】
また、本発明は、有料デジタルコンテンツが販売されたならば、販売された有料デジタルコンテンツを提供する提供先に係る提供先情報を印字した販売券を発行するよう構成したので、この販売券を入手した利用者が事後的に有料デジタルコンテンツを取得することができるため、より一層利用者が販売装置を占有する時間を抑制し、デジタルコンテンツの販売効率を高めることが可能となる。
【００２１】
また、本発明は、サンプルを提供するサーバのアドレスを示す二次元バーコードをサンプルの提供先に係る提供先情報としてサンプル券に印字することとしたので、販売装置の操作に要する時間を抑制し、簡易にサンプルを取得可能としてデジタルコンテンツの販売効率を高めることができるという効果を奏する。
【００２３】
また、本発明は、デジタルコンテンツの概要を表示出力可能としたので、利用者は多様な情報に基づいてデジタルコンテンツの購入を検討することができるため、デジタルコンテンツの販売効率を高めることができるという効果を奏する。
【００２４】
また、本発明は、デジタルコンテンツ販売装置の設置場所の情報を提供するので、利用者を販売装置の場所まで誘導し、もってデジタルコンテンツの販売効率を高めることができるという効果を奏する。
【図面の簡単な説明】
【００２６】
【図１】図１は、本実施例にかかるデジタルコンテンツの販売システムの構成図である。
【図２】図２は、販売装置１０の外観についての説明図である。
【図３】図３は、表示部３３に表示されるデジタルコンテンツ選択画面の具体例を示す図である。
【図４】図４は、デジタルコンテンツを選択した時に表示される販売関連メニュー画面の具体例を示す図である。
【図５】図５は、無料サンプル購入券の具体例についての説明図である。
【図６】図６は、デジタルコンテンツデータベース４１の具体例についての説明図である。
【図７】図７は、販売装置１０の処理動作について説明するフローチャートである。
【発明を実施するための形態】
【実施例】
【００２７】
以下に添付図面を参照して、本発明に係るデジタルコンテンツ販売装置及びデジタルコンテンツ販売方法の実施例を詳細に説明する。図１は、本実施例にかかるデジタルコンテンツの販売システムの構成図である。
【００２８】
図１に示したデジタルコンテンツの販売システムは、デジタルコンテンツを販売するデジタルコンテンツ販売装置１０（以下「販売装置１０」と言う）、中継サーバ１１及びデジタルコンテンツサーバ１２を有する。
【００２９】
販売装置１０は、携帯端末装置向けのデジタルコンテンツを販売する装置である。具体的には、販売装置１０は、駅の構内やコンビニエンスストアあるいは携帯端末装置の販売店等に設置され、各設置場所に応じたデジタルコンテンツを販売する。かかる販売装置１０は、インターネット等の外部ネットワークを介してプロキシサーバである中継サーバ１１に接続されている。
【００３０】
中継サーバ１１は、配信側データセンタに設置される図示しない認証サーバやデジタルコンテンツサーバ１２へのアクセスを一元管理するサーバ装置であり、認証サーバやデジタルコンテンツサーバ１２への不正なアクセスを遮断する役割を有する。中継サーバ１１は、利用者が所持する携帯端末装置と無線通信網等の外部ネットワークを介して接続されるとともに、認証サーバやデジタルコンテンツサーバ１２とインターネット等の外部ネットワークを介して接続されている。
【００３１】
デジタルコンテンツサーバ１２は、複数のデジタルコンテンツを保有するサーバ装置であり、携帯端末装置に対して中継サーバ１１経由でデジタルコンテンツをダウンロードさせる。
【００３２】
販売装置１０は、制御部２０と、通信インタフェース３０と、リーダライタ３１と、操作・表示部３２と、画像処理部３５と、現金処理部３６と、発見処理部３７と、プリンタ３８とを有する。通信インタフェース３０は、中継サーバ１１との間で各種データの送受信を行う通信デバイスである。
【００３３】
リーダライタ３１は、利用者が所持する携帯端末装置との間で近距離無線通信を行うデバイスである。具体的には、リーダライタ３１は、利用者によるかざし操作によって通信リンクが確立した携帯端末装置から機種情報や携帯ＩＤを読み取り、制御部２０から各種データを携帯端末装置に送信する。
【００３４】
操作・表示部３２は、ＬＣＤ（Liquid Crystal Display）などによって実現される表示部３３と、タッチパネルなどによって実現される入力部３４とを有する。操作・表示部３２は、各種の画面の表示や、選択された情報の制御部２０への入力を行なうデバイスである。操作・表示部３２は、デジタルコンテンツの選択画面を表示し、利用者によってデジタルコンテンツの選択操作を受け付けると、選択されたデジタルコンテンツを制御部２０に渡す。
【００３５】
画像処理部３５は、携帯端末装置の表示部に表示出力された二次元バーコードや紙片に印字された二次元バーコードなどを画像認識によって認識し、認識結果を制御部２０に出力するデバイスである。現金処理部３６は、貨幣の投入や排出を行なうデバイスである。発券処理部３７は、プリンタ３８によって各種情報が印字された紙片を排出するデバイスである。
【００３６】
制御部２０は、ＣＰＵ（Central Processing Unit）とメモリなどによって実現され、販売装置１０の各種動作を制御する。制御部２０は、本実施例において重要な機能部として、表示制御部２１と、販売処理部２２と、案内情報提供部２３と、概要表示部２４と、サンプル提供部２５とを有する。
【００３７】
表示制御部２１は、入力部３４からの操作入力を受けて、表示部３３への表示内容を制御する。具体的には、販売可能なデジタルコンテンツに関する情報、無料サンプルに関する情報、デジタルコンテンツの概要についての情報並びに販売装置１０の設置場所の情報などを表示出力する。
【００３８】
販売処理部２２は、デジタルコンテンツの販売処理を行なう処理部である。具体的には、利用者からの購入処理を受けて、現金処理部３６による決済を行ない、デジタルコンテンツをデジタルコンテンツサーバ１２から取得するための情報をプリンタ３８によって紙片に印字し、発券処理部３７から発券する。また、携帯端末装置がリーダライタ３１と通信可能であれば、紙片への印字ではなく、リーダライタ３１による通信を介してデジタルコンテンツをデジタルコンテンツサーバ１２から取得するための情報を送信することもできる。
【００３９】
案内情報提供部２３は、デジタルコンテンツ販売装置の設置場所などの情報を提供する案内情報提供手段である。概要表示部２４は、利用者からデジタルコンテンツの概要についての情報提示を要求された場合に、表示制御部２１にデジタルコンテンツの概要を表示させる。デジタルコンテンツの概要としては、一例としてデジタルコンテンツのあらすじを提供する。
【００４０】
サンプル提供部２５は、入力部３４からの操作入力によってデジタルコンテンツの無料サンプルの提供を求められた場合に、無料サンプルの提供先を示す情報を提供する。具体的には、サンプル提供部２５は、無料サンプルをデジタルコンテンツサーバ１２から取得するための情報をプリンタ３８によって紙片に印字し、発券処理部３７から発券する。また、携帯端末装置がリーダライタ３１と通信可能であれば、紙片への印字ではなく、リーダライタ３１による通信を介して無料サンプルをデジタルコンテンツサーバ１２から取得するための情報を送信することもできる。
【００４１】
図２は、販売装置１０の外観についての説明図である。図２に示した販売装置１０は、その前面にタッチパネルディスプレイである操作・表示部３２と、携帯端末装置をかざされた場合に携帯端末装置と無線通信するリーダライタ３１と、発券処理部３７の紙片排出や、既に発券した紙片の挿入を受け付けるダウンロード券挿排出部３７ａと、現金処理部３６のうち現金の投入を受け付ける現金投入部３６ａと、釣り銭などの排出を行なう現金返却部３６ｂとを有する。
【００４２】
利用者は、操作・表示部３２によって所望のデジタルコンテンツの検索、表示などを行ない、無料サンプルを取得する場合には、ダウンロード券挿排出部３７ａから排出された紙片を受け取るか、リーダライタ３１に携帯端末装置をかざして必要な情報を受信する。また、有料デジタルコンテンツを購入する場合は、利用者は貨幣を現金投入部３７ａに投入して決済し、お釣りがあれば現金返却部３６ｂから受け取る。
【００４３】
図３は、表示部３３に表示されるデジタルコンテンツ選択画面の具体例である。図３に示した画面例では、新聞や雑誌、コミック、小説、趣味・実用のカテゴリから、コミックを選択し、コミックのうち１つのデジタルコンテンツを選択する操作を示している。
【００４４】
図４は、デジタルコンテンツを選択した時に表示される販売関連メニュー画面の具体例である。図３に示した状態でデジタルコンテンツを選択すると、図４に示したように、ポップ表示によって「あらすじ」、「取消」、「購入」、「サンプル購入」のボタンが表示される。また、画面の右側には、二次元バーコードが表示されている。この二次元バーコードは、案内情報提供部２３が作成して表示するものである。利用者があらすじボタン５１を操作すると、概要表示部２４によってそのデジタルコンテンツの概要についての情報が提示される。
【００４５】
また、利用者がサンプル購入ボタン５２を操作すると、サンプル提供部２５によって、無料の購入券が発券される。利用者が携帯端末装置で無料購入券に表示された二次元バーコードを読み取り、二次元バーコードで示されたサイトに接続すると、デジタルコンテンツのサンプルや作者の紹介などの情報が得られる。
【００４６】
そして、利用者が画面の右側に表示された二次元バーコード５３を携帯端末装置で読み取り、二次元バーコードに示されたサイトに接続すると、販売装置で販売しているデジタルコンテンツの案内や、販売装置の設置場所の情報、割引クーポンなどを表示することができる。このように、デジタルコンテンツを販売する販売装置の設置場所を情報提供することで、ある駅で無料サンプル券を入手した利用者が、移動先などの他の場所に設置された販売装置を見つけることを手助けし、有料デジタルコンテンツの購入を促すことができる。
【００４７】
図５は、無料サンプル購入券の具体例についての説明図である。図５に示したサンプル購入券６０には、無料のサンプルを取得するためのアドレス情報を示す二次元バーコード６１と、サンプルが気に入った場合に有料デジタルコンテンツである本編を購入する際に使用する二次元バーコード６２と、本編を一意に特定する商品コード６３とが印字されている。
【００４８】
利用者は、サンプル購入券６０を受け取ると、電車内など任意の場所で携帯端末装置によって二次元バーコード６１を読み込み、サイトにアクセスすることで、無料サンプルを入手することがきる。そして、本編を購入する場合には、二次元バーコードを販売装置１０にサンプル購入券６０をかざせば、サンプル購入券６０に印字された商品コード６３や二次元コード６２を販売装置１０が読み取る。
【００４９】
このため、販売装置１０は、サンプルに対応する本編であるデジタルコンテンツを特定できる。したがって、利用者は販売装置１０を操作して所望のデジタルコンテンツを再び探し出す手間を省くことができ、購入にかかる操作を軽減することができる。
【００５０】
図６は、デジタルコンテンツデータベース４１の具体例についての説明図である。図６に示した例では、デジタルコンテンツデータベース４１は、デジタルコンテンツ名と、価格と、デジタルコンテンツアドレスと、デジタルコンテンツデータの項目を有する。
【００５１】
デジタルコンテンツ名「Ａサンプル」は、デジタルコンテンツ名「Ａ１巻」や「Ａ２巻」の無料サンプルであり、「Ａ１巻」や「Ａ２巻」が３００円であるのに対し、「Ａサンプル」は価格が無料である。また、デジタルコンテンツ名「Ｂ１巻（サンプル）」は、１巻目全体がサンプルとして無料提供されており、「Ｂ２巻」が２５０円である。
【００５２】
デジタルコンテンツアドレスの項目は、それぞれのデジタルコンテンツを取得する際にアクセスするアドレスであり、販売装置１０は、このアドレスを二次元バーコードとして紙片に印字し、利用者に提供する。利用者がこのアドレスにアクセスすると、そのアドレスに対応するデジタルコンテンツデータをダウンロードすることが可能となる。
【００５３】
図７は、販売装置１０の処理動作について説明するフローチャートである。販売装置１０は、利用者からデジタルコンテンツの選択があると（Ｓ１０１；Ｙｅｓ）、利用者の操作に従ってデジタルコンテンツ選択操作を実行し（Ｓ１０２）、選択されたデジタルコンテンツについて販売関連メニューを表示する（Ｓ１０３）。ここで、販売関連メニューとは、図４に示した「あらすじ」、「取消」、「購入」、「サンプル購入」のボタンを含むポップ表示である。
【００５４】
販売装置１０は、あらすじボタンが選択されると（Ｓ１０４；Ｙｅｓ）、そのデジタルコンテンツのあらすじを表示する（Ｓ１０５）。また、購入ボタンが選択されると（Ｓ１０６；Ｙｅｓ）、販売装置１０は、販売処理（Ｓ１１１）に移行する。
【００５５】
そして、無料サンプルボタンが選択されると（Ｓ１０７；Ｙｅｓ）、販売装置１０は、無料サンプル券を印刷して出力し（Ｓ１０８）、処理を終了する。
【００５６】
また、取り消しボタンが押されたり、一定時間操作がないなど、取り消し条件が成立した場合（Ｓ１０９）にも、販売装置１０は処理を終了する。取り消し条件が成立していなければ（Ｓ１０９；Ｎｏ）、販売装置１０は、ステップＳ１０４に戻り、利用者からの操作を待つ。
【００５７】
一方、利用者がデジタルコンテンツ選択操作ではなく（Ｓ１０１；Ｎｏ）、無料サンプル券６０に印字した本編購入用の二次元バーコード６２、すなわち販売データを販売装置１０に読み取らせた場合（Ｓ１１０；Ｙｅｓ）は、販売装置１０は、販売処理（Ｓ１１１）に移行する。また、販売データの読み取りもない場合（Ｓ１１０；Ｎｏ）は、販売装置１０は、処理を終了し、待機状態に戻る。
【００５８】
販売処理（Ｓ１１１）では、販売装置１０は、販売するデジタルコンテンツの料金決済を現金処理部３６によって行ない、有料デジタルコンテンツのダウンロード先を二次元バーコードとして印字した販売券を印刷して出力し（Ｓ１１２）、処理を終了する。
【００５９】
上述してきたように、本実施例では、デジタルコンテンツを販売する販売装置１０は、利用者からの操作によってデジタルコンテンツの無料サンプルの提供を求められた場合に、無料サンプルの提供先を示す情報を提供するので、販売装置１０の操作に要する時間を抑制しつつデジタルコンテンツの販売効率を高めることができる。
【００６０】
具体的には、販売装置１０は、無料サンプルを提供するサーバのアドレスを印字した紙片を出力する。また、無料サンプルを提供するサーバのアドレスは、一例として二次元バーコードで印字する。このため、携帯端末で二次元バーコードを読み取り、簡易に無料サンプルを取得することができる。
【００６１】
加えて、無料サンプルに対応する有料デジタルコンテンツを指定する有料デジタルコンテンツ指定情報をさらに印字し、有料デジタルコンテンツ指定情報を画像認識によって識別する手段を設けて、有料デジタルコンテンツの販売処理を行なうこともできる。
【００６２】
また、デジタルコンテンツの概要についての情報提供を求められた場合には、デジタルコンテンツの概要を表示出力することもでき、デジタルコンテンツ販売装置の設置場所の情報を提供することもできる。
【００６３】
このように、本実施例にかかるデジタルコンテンツ販売装置及びデジタルコンテンツ販売方法は、販売装置の操作に要する時間を抑制しつつデジタルコンテンツの販売効率を高めることができる。
【００６４】
なお、有料コンテンツの購入時は、画像読取ではなく、サンプル券６０に印字された商品コードをタッチパネルで入力するようにしても良い。
【００６５】
また、サンプル購入券からサンプルに対応する本編であるデジタルコンテンツを特定する時に、本編だけではなく、同じ作者、同じジャンル等、サンプルと何か関連するコンテンツを予め設定しておいて、それを表示するようにしても良い。このようにすれば、最初から欲しいデジタルコンテンツを検索する手間は大幅に短縮される。
【００６６】
また、有料コンテンツは、現金ではなく、電子マネーで購入しても良い。携帯端末装置に電子マネーが記憶されていれば、購入操作と同時に電子マネー決済処理を行うことができる。
【産業上の利用可能性】
【００６７】
以上のように、本発明に係るデジタルコンテンツ販売装置及びデジタルコンテンツ販売方法は、デジタルコンテンツの販売効率を高めることに有用である。
【符号の説明】
【００６８】
１０    販売装置
１１    中継サーバ
１２    デジタルコンテンツサーバ
２０    制御部
２１    表示制御部
２２    販売処理部
２３    案内情報提供部
２４    概要表示部
２５    サンプル提供部
３０    通信インタフェース
３１    リーダライタ
３２    操作・表示部
３３    表示部
３４    入力部
３５    画像処理部
３６    現金処理部
３６ａ  現金投入部
３６ｂ  現金返却部
３７    発券処理部
３７ａ  ダウンロード券挿排出部
３８    プリンタ
４１    デジタルコンテンツデータベース
５１，５２  ボタン
５３，６１〜６２  二次元バーコード
６０    サンプル購入券
６３    商品コード
【図１】
0005774305.tif 000002
【図２】
0005774305.tif 000003
【図３】
0005774305.tif 000004
【図４】
0005774305.tif 000005
【図５】
0005774305.tif 000006
【図６】
0005774305.tif 000007
【図７】
0005774305.tif 000008